【手続補正書】
【提出日】平成24年10月19日(2012.10.19)
【手続補正１】
【補正対象書類名】特許請求の範囲
【補正対象項目名】全文
【補正方法】変更
【補正の内容】
【特許請求の範囲】
【請求項１】
ウェブページのオブジェクトのうち、予め定められたオブジェクトの表示の処理を記述するためのスクリプトであって、編集者によって編集されたスクリプトを受信する受信手段と、
前記スクリプトに割り当てられた前記ウェブページのアドレスのサブドメインに対応させて、前記スクリプトの格納を制御する格納制御手段と、
サブドメインを指定したウェブページの要求を受け付けた場合、当該サブドメインに対応して格納されている前記スクリプトを実行してウェブページを生成する生成手段と、
生成したウェブページを送信する送信手段と
を備える情報提供装置。
【請求項２】
請求項１に記載の情報提供装置において、
前記生成手段は、所定のサブドメインのウェブページが要求された場合、そのサブドメインに対応して格納されている前記スクリプトを解釈して実行しウェブページを生成するインタプリタである
情報提供装置。
【請求項３】
請求項１に記載の情報提供装置において、
前記ウェブページのオブジェクトのうち、予め定められたオブジェクトの表示に関する処理以外の処理の記述が文法上規定されていない前記スクリプトに、前記サブドメインを割り当てる割当手段をさらに備える
情報提供装置。
【請求項４】
請求項１に記載の情報提供装置において、
受信した前記スクリプトを、予め用意した他のスクリプトまたはデータと結合させるように編集する編集手段をさらに備え、
前記格納制御手段は、編集された前記スクリプトの格納を制御する
情報提供装置。
【請求項５】
請求項１に記載の情報提供装置において、
受信した前記スクリプトに、予め用意した他のスクリプトを上書きするように編集する編集手段をさらに備え、
前記格納制御手段は、編集された前記スクリプトの格納を制御する
情報提供装置。
【請求項６】
ウェブページのオブジェクトのうち、予め定められたオブジェクトの表示の処理を記述するためのスクリプトであって、編集者によって編集されたスクリプトを受信し、
前記スクリプトに割り当てられた前記ウェブページのアドレスのサブドメインに対応させて、前記スクリプトの格納を制御し、
サブドメインを指定したウェブページの要求を受け付けた場合、当該サブドメインに対応して格納されている前記スクリプトを実行してウェブページを生成し、
生成したウェブページを送信する
ステップを含む情報提供方法。
【請求項７】
ウェブページのオブジェクトのうち、予め定められたオブジェクトの表示の処理を記述するためのスクリプトであって、編集者によって編集されたスクリプトの受信を制御し、
前記スクリプトに割り当てられた前記ウェブページのアドレスのサブドメインに対応させて、前記スクリプトの格納を制御し、
サブドメインを指定したウェブページの要求を受け付けた場合、当該サブドメインに対応して格納されている前記スクリプトを実行してウェブページを生成し、
生成したウェブページの送信を制御する
ステップを含む処理をコンピュータに行わせるプログラム。
【手続補正２】
【補正対象書類名】明細書
【補正対象項目名】０００８
【補正方法】変更
【補正の内容】
【０００８】
本発明の一側面の情報提供装置は、ウェブページのオブジェクトのうち、予め定められたオブジェクトの表示の処理を記述するためのスクリプトであって、編集者によって編集されたスクリプトを受信する受信手段と、前記スクリプトに割り当てられた前記ウェブページのアドレスのサブドメインに対応させて、前記スクリプトの格納を制御する格納制御手段と、サブドメインを指定したウェブページの要求を受け付けた場合、当該サブドメインに対応して格納されている前記スクリプトを実行してウェブページを生成する生成手段と、生成したウェブページを送信する送信手段とを備える。
【手続補正３】
【補正対象書類名】明細書
【補正対象項目名】０００９
【補正方法】変更
【補正の内容】
【０００９】
前記生成手段を、所定のサブドメインのウェブページが要求された場合、そのサブドメインに対応して格納されている前記スクリプトを解釈して実行しウェブページを生成するインタプリタとすることができる。
【手続補正４】
【補正対象書類名】明細書
【補正対象項目名】００１０
【補正方法】変更
【補正の内容】
【００１０】
前記ウェブページのオブジェクトのうち、予め定められたオブジェクトの表示に関する処理以外の処理の記述が文法上規定されていない前記スクリプトに、前記サブドメインを割り当てる割当手段をさらに設けることができる。
【手続補正５】
【補正対象書類名】明細書
【補正対象項目名】００１３
【補正方法】変更
【補正の内容】
【００１３】
本発明の一側面の情報提供方法は、ウェブページのオブジェクトのうち、予め定められたオブジェクトの表示の処理を記述するためのスクリプトであって、編集者によって編集されたスクリプトを受信し、前記スクリプトに割り当てられた前記ウェブページのアドレスのサブドメインに対応させて、前記スクリプトの格納を制御し、サブドメインを指定したウェブページの要求を受け付けた場合、当該サブドメインに対応して格納されている前記スクリプトを実行してウェブページを生成し、生成したウェブページを送信するステップを含む。
【手続補正６】
【補正対象書類名】明細書
【補正対象項目名】００１４
【補正方法】変更
【補正の内容】
【００１４】
本発明の一側面のプログラムは、コンピュータに、ウェブページのオブジェクトのうち、予め定められたオブジェクトの表示の処理を記述するためのスクリプトであって、編集者によって編集されたスクリプトの受信を制御し、前記スクリプトに割り当てられた前記ウェブページのアドレスのサブドメインに対応させて、前記スクリプトの格納を制御し、サブドメインを指定したウェブページの要求を受け付けた場合、当該サブドメインに対応して格納されている前記スクリプトを実行してウェブページを生成し、生成したウェブページの送信を制御するステップを含む処理を行わせる。
【手続補正７】
【補正対象書類名】明細書
【補正対象項目名】００１５
【補正方法】変更
【補正の内容】
【００１５】
本発明の一側面においては、ウェブページのオブジェクトのうち、予め定められたオブジェクトの表示の処理を記述するためのスクリプトであって、編集者によって編集されたスクリプトが受信され、前記スクリプトに割り当てられた前記ウェブページのアドレスのサブドメインに対応させて、前記スクリプトの格納が制御され、サブドメインを指定したウェブページの要求を受け付けた場合、当該サブドメインに対応して格納されている前記スクリプトを実行してウェブページが生成され、生成したウェブページが送信される。
【手続補正８】
【補正対象書類名】明細書
【補正対象項目名】００２０
【補正方法】変更
【補正の内容】
【００２０】
本発明の一側面の情報提供装置（例えば、図１のサーバ１１）は、ウェブページのオブジェクトのうち、予め定められたオブジェクトの表示の処理を記述するためのスクリプトであって、編集者によって編集されたスクリプトを受信する受信手段（例えば、図２の通信部３９）と、前記スクリプトに割り当てられた前記ウェブページのアドレスのサブドメインに対応させて、前記スクリプトの格納を制御する格納制御手段（例えば、図３のスクリプト格納制御部６９）と、サブドメインを指定したウェブページの要求を受け付けた場合、当該サブドメインに対応して格納されている前記スクリプトを実行してウェブページを生成する生成手段（例えば、図３のインタプリタ６２）と、生成したウェブページを送信する送信手段（例えば、図３のWebサーバ機能６１）とを備える。
【手続補正９】
【補正対象書類名】明細書
【補正対象項目名】００２１
【補正方法】変更
【補正の内容】
【００２１】
前記ウェブページのオブジェクトのうち、予め定められたオブジェクトの表示に関する処理以外の処理の記述が文法上規定されていない前記スクリプトに、前記サブドメインを割り当てる割当手段（例えば、図３のサブドメイン割当部６８）をさらに設けることができる。
【手続補正１０】
【補正対象書類名】明細書
【補正対象項目名】００２４
【補正方法】変更
【補正の内容】
【００２４】
本発明の一側面の情報提供方法は、ウェブページのオブジェクトのうち、予め定められたオブジェクトの表示の処理を記述するためのスクリプトであって、編集者によって編集されたスクリプトを受信し（例えば、図５のステップＳ１２３の手続き）、前記スクリプトに割り当てられた前記ウェブページのアドレスのサブドメインに対応させて、前記スクリプトの格納を制御し（例えば、図５のステップＳ１２４の手続き）、サブドメインを指定したウェブページの要求を受け付けた場合、当該サブドメインに対応して格納されている前記スクリプトを実行してウェブページを生成し（例えば、図６のステップＳ１４２の手続き）、生成したウェブページを送信する（例えば、図６のステップＳ１４３の手続き）ステップを含む。
【手続補正１１】
【補正対象書類名】明細書
【補正対象項目名】００２５
【補正方法】変更
【補正の内容】
【００２５】
本発明の一側面のプログラムは、コンピュータに、ウェブページのオブジェクトのうち、予め定められたオブジェクトの表示の処理を記述するためのスクリプトであって、編集者によって編集されたスクリプトの受信を制御し（例えば、図５のステップＳ１２３の手続き）、前記スクリプトに割り当てられた前記ウェブページのアドレスのサブドメインに対応させて、前記スクリプトの格納を制御し（例えば、図５のステップＳ１２４の手続き）、サブドメインを指定したウェブページの要求を受け付けた場合、当該サブドメインに対応して格納されている前記スクリプトを実行してウェブページを生成し（例えば、図６のステップＳ１４２の手続き）、生成したウェブページの送信を制御する（例えば、図６のステップＳ１４３の手続き）ステップを含む処理を行わせる。